(57)【特許請求の範囲】
【請求項１】
デジタルコンテンツを送信装置から送信し、受信装置において前記デジタルコンテンツを受信するデジタルコンテンツ送受信システムであって、
前記送信装置は、
トランスポートストリーム形式のデジタルコンテンツを生成し、生成したデジタルコンテンツのプログラムマップテーブルに、該デジタルコンテンツのコピーについて、少なくとも制約条件なしにコピー可、一世代コピー可、コピー禁止の状態を示すコピー制御情報を含む第１の制御記述子と、前記コピー制御情報が一世代コピー可であるときに、前記デジタルコンテンツが、所定数個までの複製を生成できる個数制限コピー可のコンテンツであるか否かを示すコピー制御のモード情報を含む第２の制御記述子とを配置することができるコンテンツ生成手段と、
前記コンテンツ生成手段で生成される前記デジタルコンテンツを送信する送信手段とを備え、
前記受信装置は、
送信された前記デジタルコンテンツを受信する受信手段と、
受信した前記デジタルコンテンツを内蔵記録媒体に蓄積する蓄積手段と、
受信した前記デジタルコンテンツをリムーバブル記録媒体に記録する記録手段と、
前記受信手段と前記蓄積手段と前記記録手段とを制御する制御手段と、を備え、
前記制御手段の制御状態は、
前記コピー制御情報が一世代コピー可で、かつ、前記コピー制御のモード情報が個数制限コピー可のコンテンツであることを示しているときに、受信した前記デジタルコンテンツを、個数制限コピー可として前記内蔵記録媒体に蓄積する第１の状態と、
前記コピー制御情報が一世代コピー可で、かつ、前記コピー制御のモード情報が個数制限コピー可のコンテンツでないことを示しているときに、受信した前記デジタルコンテンツを再コピー禁止として前記内蔵記録媒体に蓄積する第２の状態と、
前記コピー制御情報が一世代コピー可であるときに、前記リムーバブル記録媒体が前記コピー制御のモード情報に対応していない場合には、前記コピー制御のモード情報が個数制限コピー可のコンテンツであることを示していても、受信した前記デジタルコンテンツを再コピー禁止として前記リムーバブル記録媒体に記録する第３の状態と、
前記コピー制御情報が一世代コピー可で、かつ、前記コピー制御のモード情報を含む前記第２の制御記述子が前記デジタルコンテンツのプログラムマップテーブルに配置されていないときに、受信した前記デジタルコンテンツを、個数制限コピー可として前記内蔵記録媒体に蓄積する第４の状態と
を有することを特徴とするデジタルコンテンツ送受信システム。
【請求項２】
デジタルコンテンツを送信装置から送信し、受信装置において前記デジタルコンテンツを受信するデジタルコンテンツ送受信方法であって、
前記送信装置は、
トランスポートストリーム形式のデジタルコンテンツを生成し、生成したデジタルコンテンツのプログラムマップテーブルに、該デジタルコンテンツのコピーについて、少なくとも制約条件なしにコピー可、一世代コピー可、コピー禁止の状態を示すコピー制御情報を含む第１の制御記述子と、前記コピー制御情報が一世代コピー可であるときに、前記デジタルコンテンツが、所定数個までの複製を生成できる個数制限コピー可のコンテンツであるか否かを示すコピー制御のモード情報を含む第２の制御記述子とを配置することができるコンテンツ生成ステップと、
前記コンテンツ生成ステップで生成される前記デジタルコンテンツを送信する送信ステップとを備え、
前記受信装置は、
送信された前記デジタルコンテンツを受信する受信ステップと、
受信した前記デジタルコンテンツを内蔵記録媒体に蓄積する蓄積ステップと、
受信した前記デジタルコンテンツをリムーバブル記録媒体に記録する記録ステップと、を備え、
前記コピー制御情報が一世代コピー可で、かつ、前記コピー制御のモード情報が個数制限コピー可のコンテンツであることを示しているときに、受信した前記デジタルコンテンツを、個数制限コピー可として前記内蔵記録媒体に蓄積する第１の状態と、
前記コピー制御情報が一世代コピー可で、かつ、前記コピー制御のモード情報が個数制限コピー可のコンテンツでないことを示しているときに、受信した前記デジタルコンテンツを再コピー禁止として前記内蔵記録媒体に蓄積する第２の状態と、
前記コピー制御情報が一世代コピー可であるときに、前記リムーバブル記録媒体が前記コピー制御のモード情報に対応していない場合には、前記コピー制御のモード情報が個数制限コピー可のコンテンツであることを示していても、受信した前記デジタルコンテンツを再コピー禁止として前記リムーバブル記録媒体に記録する第３の状態と、
前記コピー制御情報が一世代コピー可で、かつ、前記コピー制御のモード情報を含む前記第２の制御記述子が前記デジタルコンテンツのプログラムマップテーブルに配置されていないときに、受信した前記デジタルコンテンツを、個数制限コピー可として前記内蔵記録媒体に蓄積する第４の状態と
を有することを特徴とするデジタルコンテンツ送受信方法。
【発明の詳細な説明】
【技術分野】
【０００１】
技術分野は番組の受信装置に関する。特に装置におけるコピー制御の技術に関する。
【背景技術】
【０００２】
上記技術分野について、特許文献１には、「著作権保護すべきデジタル情報の記録再生
装置における記録媒体への記録制限を行える装置及び方法を提供する。」ことを課題とし
、その解決手段として「記録再生制御回路は、コピー制御情報が、（Copy One Generation）である場合には、情報とともに、予め定めたビットレートに情報を変換した変換デジタル情報と、前記コピー回数情報を前記記録媒体に記録し、コピー制御情報に従い、（Copy No More）でありながら、当該再生装置に接続された記録装置の記録媒体に前記デジタル情報あるいは前記変換デジタル情報を移動する場合は、可能回数を減じて前記コピー回数情報を更新し、前記デジタル情報信号あるいは前記変換デジタル情報と前記コピー制御情報および前記コピー回数情報を再度記録媒体に記録すると共に、前記デジタル情報信号あるいは前記変換デジタル情報を再生不能化する構成とした。」ことが記載されている。
【０００３】
また、特許文献２には、「１世代のみコピー可」のコンテンツに対して、ユーザの利便
性と著作権者の権利保護が両立して達成した蓄積記録装置の提供方法について記載されて
おり、番組情報一覧表に著作権管理情報を記載して表示し、ユーザの利便性を向上させる
図が記載されている。
【先行技術文献】
【特許文献】
【０００４】
【特許文献１】特開２００６−１１４０９０号公報
【特許文献２】特開２００６−２４４６０３号公報
【発明の概要】
【発明が解決しようとする課題】
【０００５】
近年、デジタル放送が普及すると共に様々な記録メディアが流通しており、デジタルコ
ンテンツを視聴する形態も多種多様になってきている。このような環境下においては著作
権保護の観点から、コピー制御情報を使用することによって複数の記録再生装置あるいは
記録媒体間でのデータ送受信を制御することが考えられる。しかしコピー制御情報による
制御は任意の機器間でコピー可能かどうかの判断が複雑になり、使用者の使い勝手を低下
させる。特許文献１に示したデジタル情報記録再生方法では、コピー制御情報がCopy Once Generationであるデジタル情報のコピー可能回数を管理して、且つコピー可能回数の情報を使用者に表示することで使い勝手を向上している。
【０００６】
しかし、特許文献１に示したデジタル情報記録再生装置では、記録媒体に記録したデジ
タルデータのコピー制御情報及び／またはコピー可能回数を使用者に表示することしか想
定しておらず、記録前の録画予約におけるユーザ表示方法についてまで記載がない。
【０００７】
また、特許文献２に示したデジタル情報記録再生装置では、コピー制御情報としてコピ
ー世代管理情報しか想定しておらず、コピー可能個数情報をユーザに表示する手段は開示
されていない。
【０００８】
これらの場合、例えば同じ内容のデジタルデータが複数放送される場合に、複数コピー
できない方のデジタルデータを録画してしまうなどの不都合を生じるおそれがある。
【課題を解決するための手段】
【０００９】
上記課題を解決するために、例えば特許請求の範囲に記載の構成を採用する。
【発明の効果】
【００１０】
上記手段によれば例えば、番組表にコピー可能個数情報を表示することができ、番組予
約するときにユーザがコピー可能個数の多い番組を選ぶことができる。また例えば、記録
媒体に応じてコピー可能個数等が変わる場合にユーザに分かり易く知らせることができる
。
【図面の簡単な説明】
【００１１】
【図１】システムの構成例を示すブロック図である。
【図２】送信装置１の構成例を示すブロック図である。
【図３】コピー制御情報の一つであるコンテント利用記述子の構造の例である。
【図４】コンテント利用記述子の各フィールドへ記述例である。
【図５】コピー制御情報の一つであるデジタルコピー制御記述子の構造の例である。
【図６】コピー世代を制御する情報の例である。
【図７】送信装置１から送出されたコンテント利用記述子の各フィールドの受信装置３における受信処理の例である。
【図８】送信装置１が、コピー制御情報を利用することによる番組コンテンツの保護の運用例である。
【図９】受信装置３が、コピー制御情報を利用して番組コンテンツを蓄積（記録）する場合における制御の例である。
【図１０】記録再生装置１０の構成例を示すブロック図である。
【図１１】記録再生制御部１０４の構成例を示すブロック図である。
【図１２】着脱可能な記録媒体の情報の構成例を示す模式図である。
【図１３】着脱可能な記録媒体の情報の構成例を示す模式図である。
【図１４】放送予定の番組を一覧表示する画面例を示す模式図である。
【図１５】番組の詳細情報を表示する画面例を示す模式図である。
【図１６】番組検索の設定を表示する画面例を示す模式図である。
【図１７】番組検索の結果を一覧表示する画面例を示す模式図である。
【図１８】放送予定の番組を一覧表示する画面例を示す模式図である。
【図１９】番組の詳細情報を表示する画面例を示す模式図である。
【発明を実施するための形態】
【００１２】
以下、本発明に好適な実施形態の例（実施例）を説明する。但し、本発明は本実施例に
限定されない。本実施例は、主には一世代のコピーを許された情報の扱いに関するもので
ある。
【００１３】
＜システム＞
図１は、本実施例のシステムの構成例を示すブロック図である。放送で情報を送受信し
て記録再生する場合を例示している。但し放送に限定されず通信によるＶＯＤであっても
よく、総称して配信ともいう。
【００１４】
１は放送局などの情報提供局に設置される送信装置、２は中継局や放送用衛星などに設
置される中継装置、ユーザの宅内などに設置される３は受信装置、１０は受信装置３に内
蔵される受信記録再生部である。受信記録再生部１０では、放送された情報を記録し、再
生することができる。
【００１５】
送信装置１は、中継装置２を介して、変調された信号電波を伝送する。例えばケーブル
による伝送、電話線による伝送、地上波放送による伝送などを用いることもできる。受信
装置３で受信されたこの信号電波は、後に述べるように、復調されて情報信号となった後
、必要に応じ記録するに適した信号となって記録される。また、ユーザは、受信装置３に
ディスプレイが内蔵されている場合はこのディスプレイで、内蔵されていない場合には受
信装置３と図示しないディスプレイとを接続して情報信号が示す映像音声を視聴すること
ができる。
【００１６】
＜送信装置＞
図２は、図１のシステムのうち、送信装置１の構成例を示すブロック図である。
【００１７】
１１はソース発生部、１２はＭＰＥＧ方式等で圧縮を行うエンコード部、１３はスクラ
ンブル部、１４は変調部、１５は送信アンテナ、１６は管理情報付与部である。カメラ、
記録再生装置などから成るソース発生部１１で発生した映像音声などの情報は、より少な
い占有帯域で伝送できるよう、エンコード部１２でデータ量の圧縮が施される。必要に応
じてスクランブル部１３で、特定の視聴者には視聴可能となるように伝送暗号化される。
変調部１４で伝送するに適した信号となるよう変調された後、送信アンテナ１５から、中
継装置２に向けて電波として送信される。このとき、管理情報付与部１６では、コピーを
制御するための情報であるコピー制御情報や現在時刻等の情報や放送する番組の情報を付
加する。この放送する番組の情報には送信する番組の情報だけではなく、一週間分の番組
情報など送信予定の番組情報も含まれる。
【００１８】
なお、一つの電波には複数の情報が、時分割、スペクトル拡散などの方法で多重される
ことが多い。簡単のため図２には記していないが、この場合、ソース発生部１１とエンコ
ード部１２の系統が複数個あり、エンコード部１２とスクランブル部１３との間に、複数
の情報を多重するマルチプレクス部（多重化部）が置かれる。
【００１９】
＜コピー制御情報＞
コピー制御情報は、コピーの可否や回数などの制限を制御する情報であり、例えば管理
情報付与部１６で付加される。コンテント利用記述子とデジタルコピー制御記述子などを
含む。
【００２０】
図８は、コピー制御情報を利用することによる番組コンテントの保護に関する運用の例
を示す。
【００２１】
「運用可」とは、それぞれのサービス形態に対応したコンテントに対して、デジタルコ
ピー制御情報を用いた世代制限として送信側が選択できることを示す。例えば、「ペイパ
ービュー（pay-per-view）」であれば、どのデジタルコピー制御情報を用いてもよいことを示しており、一方で「月極め等有料放送」であれば「コピー禁止」を送信側が選択できないことを示す。
【００２２】
「フラット／ティア」とは、有料放送などで複数チャンネルをまとめて契約することを
フラット契約と呼び、チャンネル毎に契約することをティア契約と呼ぶ。
【００２３】
「上記以外」には、例えば「有料放送ではなく、コンテンツ保護を伴わない番組の場合
」が含まれる。
【００２４】
図３は、コピー制御情報の一つであるコンテント利用記述子の構造の一例を示す。コン
テント利用記述子は、例えば管理情報付与部１６で生成、付加され、ＭＰＥＧ-ＴＳのＰＳＩ（Program Specific Information）（一例としてＰＭＴ（Program Map Table）など）或いはＳＩ（Service Information）に格納されて送出される情報である。なおＳＩには放送予定の番組情報も含まれており、番組一覧表はＳＩを参照して作成する。
【００２５】
コンテント利用記述子の用途は、当該番組に対して、蓄積（記録）や出力に関する制御
情報を記述する場合に配置（送出）されるものである。その意味は、digital_recording_control_mode（デジタルコピーモードビット）の１ビットのフィールドが「１」の場合、図５で説明するデジタルコピー制御記述子のdigital_recording_control_dataが「一世代のコピー可」であっても「個数制限コピー可」として記録可能であることを示す。「０」の場合、「個数制限コピー可」として記録することはできない。
【００２６】
なお、コンテント利用記述子は、当該番組が出力保護の対象である場合に必ず配置（送
出）する。この出力保護とは、コンテント利用記述子の出力保護ビット（encryption_mode）を用いて、「制約条件なしにコピー可」のコンテンツの高速デジタルインタフェース出力に対して、保護を実施することを意味する。別の言い方をすれば、デジタルインタフェースでの出力や記録媒体へのコピーの際に暗号化するものの、コピーの回数や世代には制限をかけない。インターネットへの再送信は事実上不可能となる。「出力保護付きコピー・フリー」や、EPN（encryption plus non-assertion）とも呼ぶ。
【００２７】
また、当該番組のデジタルコピー制御情報が「一世代のコピー可」であり、且つ、「個
数制限コピー可」の対象でない場合に必ず配置（送出）する。
【００２８】
図４は、コンテント利用記述子の各フィールドの記述内容の一例を示す。
【００２９】
「descriptor_tag」にはコンテント利用記述子を意味する“0xDE”を記述する。「descriptor_length」には、コンテント利用記述子の記述子長を記述する。「digital_recording_control_mode」には、デジタルコピー制御情報が「一世代のコピー可」であり、且つ、「個数制限コピー可」の対象でない場合は’0’を記述する。デジタルコピー制御情報が「一世代のコピー可」であり、且つ、「個数制限コピー可」の対象である場合は‘１’を記述する。
【００３０】
「encryption_mode」には、デジタルコピー制御情報が「制約条件なしにコピー可」であり、且つ、高速デジタルインタフェース出力に保護を実施する場合は’0’を記述する。
【００３１】
「retention_mode」は一時蓄積制御ビットを意味し、デジタルコピー制御記述子の「digital_recording_control_data」（デジタルコピー制御情報）が「コピー禁止」であっても一時蓄積が可能であることを表す“0”を記述する。「retention_state」は一時蓄積許容時間を意味し、１時間３０分の蓄積が可能なことを表す”111”を記述する。なお、「image_constraint_token」、「retention_state」、「encryption_mode」はデフォルトの状態では「１」である。
各フィールドについては、受信側の処理として、図７でも後述する。
図５は、コピー制御情報の一つであるデジタルコピー制御記述子の構造の一例を示す。デ
ジタルコピー制御記述子は、例えば管理情報付与部１６で生成、付加され、ＭＰＥＧ-ＴＳのＰＳＩ（一例としてＰＭＴなど）或いはＳＩに格納されて送出される情報である。
【００３２】
デジタルコピー制御記述子は、「digital_recording_control_data」（デジタルコピー制御情報）の２ビットのフィールドにより、コピー世代を制御する情報を表す。
【００３３】
図６は、デジタルコピー制御情報の例を示す。デジタルコピー制御情報が、「００」の
場合には制約条件なしにコピー可を示し、「０１」の場合には放送事業者の定義によるこ
とを示し、「１０」の場合には一世代のコピー可であることを示し、「１１」の場合には
コピー禁止であることを示す。なお、一世代のコピー可とは、受信した放送信号を記録（
一世代目のコピー）できるが、記録した後には放送信号を複製（コピー）できないことを
意味する。
【００３４】
図３と図４のコンテント利用記述子をコピー個数制限情報、図５と図６のデジタルコピ
ー制御情報をコピー世代制限情報とも呼ぶ。
【００３５】
送信装置１から送出された、図３〜６で説明したコピー制御情報に関係する受信装置３
の処理の詳細例を説明する。
【００３６】
図７は、受信装置３における、コンテント利用記述子の各フィールドに対する処理の一
例を示す。
【００３７】
「descriptor_tag」が“0xDE”だと、当該記述子がコンテント利用記述子であると判断する。「descriptor_length」により、コンテント利用記述子の記述子長であると判断する。「digital_recording_control_mode」が’1’だと、デジタルコピー制御情報が「一世代のコピー可」の場合、「個数制限コピー可」の対象であると判断する。’0’だと、デジタルコピー制御情報が「一世代のコピー可」の場合、「個数制限コピー可」の対象でないと判断する。「image_constraint_token」については、いかなる値が入っていても映像信号出力の解像度の制限を行わないと判断する。「retention_mode」については、いかなる値が入っていても一時蓄積が可能であると判断する。「retention_state」については、いかなる値が入っていても一時蓄積許容時間が１時間３０分であると判断する。「encryption_mode」が’1’だと、デジタルコピー制御情報が「制約条件なしにコピー可」の場合、高速デジタルインタフェース出力に保護を実施しないと判断する。’0’だと、デジタルコピー制御情報が「制約条件なしにコピー可」の場合、高速デジタルインタフェース出力に保護を実施すると判断する。
【００３８】
なお、何らかの理由でコンテント利用記述子が配置（送出）されない場合、各フィールドが以下の値であると解釈するとよい。digital_recording_control_mode =‘1’、image_constraint_token =‘1’、retention_mode =‘0’、retention_state =‘111’、encryption_mode =‘1’。
【００３９】
図９は、受信装置３が、コピー制御情報を利用して番組コンテンツを蓄積（記録）する制御の例を示す。
【００４０】
図９が示している内容は例えば、番組コンテンツを蓄積するときに、デジタルコピー制
御記述子のdigital_recording_control_dataが’10’で「一世代のコピー可」の場合、記録媒体上のコピー制御情報を「再コピー禁止」として蓄積する。但し、digital_recording_control_modeが’1’の場合は、「個数制限コピー可」として蓄積する。なお、「再コピー禁止」で蓄積を行う場合にも、デジタルコピー制御記述子のdigital_recording_control_dataの値は変更しなくてよい。
【００４１】
また、デジタルコピー制御記述子のdigital_recording_control_dataが’10’で「一世代のコピー可」の場合、複数のコピーを生成してはならない。但し、バックアップ目的でユーザがアクセスできないエリアへの蓄積は除外する。また、上記制限は、放送の受信部毎に課せられるものとし、放送の受信部が複数ある場合は、ひとつの放送の受信部毎に上記制限が課せられるものとする。
【００４２】
個数制限コピー可について、「個数制限コピー可」として蓄積されている番組コンテン
ツからは、Ｎ個のコピーを生成することができる。Ｎの値は、例えば規格に準拠すること
でよい。高速デジタルインタフェース出力を経由してコピーを生成する場合は、ムーブ機
能を用いる等によって、生成するコピーの数が確定できる場合にはコピーを行ってよい。
例えば、インタフェースがＩＥＥＥ１３９４で、出力先がＤＴＣＰ規格に対応した装置で
あることを認識できた場合である。なお、生成したコピーは、「再コピー禁止」またはそ
れと同等の状態とする。
【００４３】
また、「個数制限コピー可」として蓄積されている番組コンテンツを再生して出力する
場合、高速デジタルインタフェースでは、ＤＴＣＰ（Digital Transmission Content Protection）に規定されているNo More Copiesの処理を行って出力する。アナログ映像出力およびデジタル音声出力については、「一世代のコピー可」として出力することができる。
【００４４】
記録媒体がリムーバブル記録媒体である場合には、図９に加えて別の制限がある。番組
コンテンツのリムーバブル記録媒体へのデジタル記録については、ＴＶ、データサービス
のデジタル記録、或いは音声サービスのデジタル記録において、デジタルコピー制御記述
子のdigital_recording_control_dataが’10’で「一世代のコピー可」の番組コンテンツを受信して記録するときは、受信したコンテンツについて一世代目であっても３つ以上のコピーは許さない（例えば、放送を受信して記録するときに同時に３つ以上の記録媒体には記録させない）。この値（３つ以上を例示）は例えば規格に準拠することでよい。また、記録フォーマットが同一の一世代のコピーは複数生成させない。但し、バックアップ目的でユーザがアクセスできないエリアへのデジタル記録は除外する。また、デジタル記録媒体への記録制限は、放送の受信部毎に課せられるものとし、放送の受信部が複数ある場合は、ひとつの放送の受信部毎に上記制限が課せられるものとする。受信装置がdigital_recording_control_modeに対応していない記録方式を搭載する場合は、デジタルコピー制御記述子のcopy_control_typeが’01’で、digital_recording_control_dataが’10’の番組コンテンツについて、コンテント利用記述子のdigital_recording_control_modeの値にかかわらず「一世代のコピー可」の扱いでデジタル記録する。
【００４５】
＜受信装置＞
図１０は、受信装置３内の記録再生装置１０の例として、記録再生装置１００の構成例
を示す。記録と再生のどちらか一方のみの機能を有する装置であってもよい。
【００４６】
１０１は入力端子であり中継装置２からの電波などのデジタルデータを受信する。１０
２は受信部であり、入力端子１０１から受信したデジタルデータを周波数変換、変調操作
、誤り訂正などを行い、多重化された１トランスポンダ内のビットストリームを映像や音
声などのパケットに分離化する。１０３は映像・音声情報処理部であり、映像データと音
声データをデコードする。１０４は記録媒体への記録あるいは再生を制御する記録再生制
御部であり、このモジュールのさらに詳細な内部構成の一例を図１１に示す。１０５は例
えばハードディスクドライブなどのデジタルデータを記録する記録媒体である。１０６は
映像・音声データや各種アプリケーション用インタフェース（ＩＦ）の表示データから出
力データを生成する表示制御部である。例えば映像音声処理部１０３で処理された映像デ
ータを必要に応じてスケーリングを行い、その映像データに例えば操作用のインタフェー
スや静止画像といった記録再生装置１００が独自に用意する画像データを重ね合わせて表
示画像を生成する。１０７は出力端子であり、生成されたデータを例えば表示用液晶パネ
ルなどの表示デバイス（表示部）に転送する。１０８は使用者がリモコンを用いて操作を
行うときのリモコンＩＦである。１０９は入力端子でありリモコンからの信号を受信する
受光部である。１１０は例えば録画や再生などの操作を行うボタン群を配し、使用者が直
接ボタンを操作することで記録再生装置１００の制御を行うための操作部である。１１１
は記録再生装置１００の動作を制御する制御部であり、例えばＣＰＵで構成される。１１
２は情報を記録するための不揮発性メモリである。１１３は制御部１１１と接続された各
ブロック間でデータ通信を行うシステムバスである。
【００４７】
１１４は着脱可能な記録媒体を装着可能とするスロット（着脱部とも呼ぶ）である。１
１５は記録媒体１０５と同一の記録フォーマットで記録を行う着脱可能な記録媒体である
。１１６はスイッチであり、記録再生制御部１０４に対して、記録媒体１０５と着脱可能
な記録媒体１１５のどちらのデータを出力するか、あるいはどちらのデータを入力するか
を選択する。なお、図１０では一つのスイッチのみ記載したが、入力用と出力用にそれぞ
れ異なるスイッチを用意することも考えられる。あるいは記録媒体１０５と着脱可能な記
録媒体１１５夫々に対して記録再生制御部を用意するという構成が考えられる。
【００４８】
図１１は記録再生制御部１０４の構成例を示す。
【００４９】
２０１は入出力端子であり、システムバス１１３に接続し制御信号を伝送する。２０２
は入力端子であり記録媒体に記録する映像データならびに音声データを含むデジタルデー
タを入力とする。２０３はコピー制御情報処理部であり、デジタルデータに含まれるコピ
ー制御情報を解析し必要に応じて更新を行う。２０４は暗号部であり、例えば制御部１１
１により伝送される鍵情報を用いるなどして、入力されたデジタルデータを暗号化する。
２０５は記録制御部であり、記録媒体に記録する為のコマンドを発行し、デジタルデータ
の転送などの処理を行う。２０６は出力端子であり、記録媒体に接続される。２０７は入
力端子であり記録媒体から再生するデジタルデータを入力する。２０８は再生制御部であ
り、記録媒体へコマンドを発行し所望のデジタルデータを再生する。２０９は復号部であ
り、読み出した暗号化されたデジタルデータを例えば制御部１１１より伝送される鍵情報
を用いるなどして復号する。２１０は出力端子であり復号したデジタルデータを出力する
。２１１はシステムバスであり、制御部と接続された各ブロック間でデータ通信を行うシ
ステムバスである。
【００５０】
記録媒体１０５にデジタルデータを蓄積するときには、制御部１１１は例えばデジタル
データに含まれるデジタルコピー制御記述子とコンテント利用記述子に基づいて制御を行
う。デジタルコピー制御記述子は例えばコピー制御タイプとデジタル記録制御データから
なり、コンテント利用記述子は例えば暗号化モードとデジタル記録制御モードからなる信
号で表される。制御部１１１はこれらの記述子の値に応じて、コピー制御情報処理部２０
３に蓄積するデジタルデータのコピー制御情報の更新を指示し、暗号部２０４に暗号化す
る／しないを指示する。
【００５１】
コピー制御情報処理部２０３で処理するコピー制御情報は、例えばコピー世代管理情報
とコピー可能個数情報とを含み、コピー世代管理情報は例えば下記のような２ビットの信
号で
１１  コピー禁止（Copy-never）
０１  録画後は再コピー不可能（No-more-copies）
１０  一世代のみの記録が可能（Copy-one-generation）
００  コピー可能（Copy-free）
といった指定が考えられる。コピー可能個数情報は０以上の整数で指定し、何個コピー可
能かを指定することが考えられる。また、コピー世代管理情報が「コピー可能」であるデ
ジタルデータにはデータが暗号化され出力保護されるものと暗号化されず出力保護されな
いものとが存在してもよい。
【００５２】
図１２は、着脱可能な記録媒体１１５（例えばリムーバブルハードディスク）の好まし
いデータ構成の一例である。１１５は使用者がアクセスできない管理領域である。デジタ
ルデータを暗号化してデータ記録領域３０２に記録するための鍵データを管理領域に保存
することで秘匿性を保つ。３０２は使用者が所定の操作で内部のデータにアクセス可能な
データ記録領域である。３０１には鍵データを記録する。３０２には映像・音声データや
静止画データなどのデータと共にデータ記録領域の各データに対応する鍵情報を判別する
ための情報再生用データを記録する。このような着脱可能な記録媒体１１５には、コピー
制御情報を一括して管理領域に記録しておくこともできる。
【００５３】
図１３は、図１２の記録媒体の好ましいデータ構成の一例を別の表現で示したものであ
る。この記録媒体はコピー制御ができる記録媒体（セキュリティリムーバブルメディアと
も呼ぶ）である。ここでのコピー制御には、複数個コピーの管理（コピー個数管理、コピ
ー個数制御、個数制御コピーとも呼ぶ）及び／又はコピーの世代の管理（コピー世代管理
、コピー世代制御、世代制御コピーとも呼ぶ）を含む。ユーザがアクセスできるノーマル
領域と、ユーザがアクセスできない耐タンパ領域をひとつの記録媒体に併せ持つ。耐タン
パ領域に格納される機密情報は、この記録媒体を扱うことのできる装置との認証処理によ
り認証が確認できた場合にはアクセス可能となるようになっており、機密情報の管理がで
きるようになっている。図１２の管理領域３０１が耐タンパ領域に、データ記録領域３０
２がノーマル領域に対応する。
【００５４】
図１０で示した記録再生装置１００においては、着脱可能な記録媒体１１５が図１２や
１３で示したものとは異なって例えばコピー制御に関する管理情報や番組情報が不正に改
竄される可能性のある記録媒体だったり、コピー制御ができない記録媒体（コピー制御に
対応していると規格などで認定されていない記録媒体）であったりする場合、この記録媒
体１１５（非セキュア記録媒体）には入力端子１０１から入力されたデジタルデータを記
録するとき、制御部１１１はコピー制御情報処理部２０３にコピー世代管理情報をNo-mor
e-copies、コピー可能個数情報を０として記録させる。
【００５５】
＜番組表、番組詳細、番組検索の画面表示処理＞
本実施例において使用者がリモコンを使用するかあるいは操作部１１０（リモコンの受
信部と操作部１１０を総称して操作入力部とも呼ぶ）を使用して記録再生装置１００に録
画予約を行う場合を考える。入力端子１０１から入力されるデジタルデータは例えばデジ
タル放送信号であるとする。デジタル放送を録画する場合、放送局から送出されるＳＩ情
報に基づいて作成した電子番組表を利用して録画予約を行うことが使用者の利便性を向上
させる上で有効であり、一般的に電子番組表を利用して録画予約を行うことが多い。
【００５６】
コンテント利用記述子のdigital_recording_control_mode情報、あるいはそれと一対一に対応するコピー制御に関する情報が例えばＳＩ情報に含まれる場合の電子番組表を作成する処理の一例を説明する。
【００５７】
放送局は映像・音声データにコンテント利用記述子或いはコンテント利用記述子のdigital_recording_control_mode 情報、或いはそれと一対一に対応するコピー制御に関する情報を含むＳＩ情報を多重してデジタルデータを送出する。入力端子１０１に入力された該デジタルデータは受信部１０２で映像・音声データおよびＳＩ情報などに分離化される。受信部１０２で分離したＳＩ情報（例えばＥＩＴ）に基づいて、制御部１１１は電子番組表を画面上に表示する。この時、ＳＩ情報に含まれているコンテント利用記述子のdigital_recording_control_mode情報、あるいはそれと一対一に対応するコピー制御に関する情報からコピー世代管理情報及びコピー可能個数情報（以下、まとめてコピー制御情報と呼ぶ）を電子番組表に含める。
【００５８】
表示するコピー制御情報の内容を、受信機３（記録再生装置１０）は、上述の＜コピー
制御情報＞の欄で説明したように判断する。あるいはそれ以外の判断方法として、デジタ
ルコピー制御記述子のdigital_recording_control_dataの１ビットのフィールドが「０」で、かつデジタル放送の例えばサービス記述テーブル（Service Description Table）あるいはイベント情報テーブル（Event Information Table）に含まれる記述子で当該の番組が有料／無料放送であることを示すfree_CA_modeが無料放送を示す「０」の場合、記録時のコピー世代管理情報を「コピー可能」と判別し、digital_recording_control_dataの１ビットのフィールドが「１」で、かつfree_CA_modeが無料放送を示す「０」の場合記録時のコピー世代管理情報は「個数制限コピー可」と判別し、digital_recording_control_dataの１ビットのフィールドが「１」で、かつfree_CA_modeが有料放送を示す「１」の場合記録時のコピー世代管理情報は「コピー禁止」と判別してもよい。この方法であれば、事前に送信される情報なので電子番組表表示時に判断可能という利点がある。
【００５９】
図１４は、コピー制御情報を含めた電子番組表の一例である。１４０１は日付を表す日
付欄であり、１４０２は時刻を表す時刻欄である。図１４の例では19日PM5時からPM7時までの番組一覧を表示している例である。１４０３は各放送局の放送予定番組を表示する放送予定番組欄であり、放送予定時刻で区切られている。１４０４はリモコンあるいは操作部１１０によって使用者が選択した番組のチャンネル、放送日時、番組名、及びコピー制御情報などの番組詳細情報を表示する番組詳細情報欄である。図１４の例では、番組詳細情報欄１４０４のコピー制御情報は、コピー世代情報とコピー可能個数情報が文字列として表示している。ただし、表示方法は文字列により表示してもよいし、アイコンなどの画像で表示してもよい（図１５以降についても同様）。また、コピー制御情報はコピー世代情報のみでもよいし、コピー可能個数情報のみでもよいが、コピー可能個数情報は表示する方が望ましい（図１５以降についても同様）。
【００６０】
図１４の例ではコピー制御情報を番組詳細情報欄１４０４内に表示したが、コピー制御
情報は放送予定番組欄１４０３の各番組区切りに表示してもよい。これにより番組一覧に
番組詳細情報欄１４０４がなくても、コピー制御情報を識別することができる。
【００６１】
また、使用者がアクセスできない管理領域を持たない着脱可能な記録媒体１１５を許容
する記録再生装置１００の場合、すなわち、著作権管理非対応媒体への録画を行う記録再
生装置１００の場合、図１８に示すように、番組詳細情報欄１４０４に「著作権管理対応
媒体への録画」の場合のコピー制御情報と、「著作権管理非対応媒体への録画」の場合の
コピー制御情報を表示する。これにより、著作権管理非対応媒体への録画を行うことも可
能な記録再生装置についてもユーザの利便性を向上することができる。
【００６２】
図１８の例ではコピー制御情報を番組詳細情報欄１４０４内に表示したが、コピー制御
情報は放送予定番組欄１４０３の各番組区切りに表示してもよい。これにより番組一覧に
番組詳細情報欄１４０４がなくても、コピー制御情報を識別することができる。
【００６３】
次にコンテント利用記述子のdigital_recording_control_mode情報、あるいはそれと一対一に対応するコピー制御に関する情報がＳＩ情報に含まれていない場合の電子番組表を作成する処理の一例を説明する。放送局毎に使用するコピー制御方式が一意に決まる場合、例えば、ある放送局が放送する番組はすべて「一世代のコピー可」で「複数個コピー可能」とする場合、放送予定番組欄１４０３の放送局欄毎にその放送局で採用するコピー制御情報を表示する。
【００６４】
この際、使用者がアクセスできない管理領域を持たない着脱可能な記録媒体１１５を許
容する記録再生装置１００の場合（すなわち、著作権管理非対応媒体への録画を行う記録
再生装置１００の場合）、「著作権管理対応媒体への録画」の場合のコピー制御情報と、
「著作権管理非対応媒体への録画」の場合のコピー制御情報とを表示する。
【００６５】
また、放送局毎に使用するコピー制御方式が一意に決まらない場合、放送局側にてコピ
ー制御を行う番組の番組名の先頭あるいは最後にコピー制御情報を入れ、番組一覧表作成
時にそのコピー制御情報を含んだ番組名を番組一覧表に入れて表示することで、使用者に
該番組のコピー制御情報を提示することができる。なお、使用者がアクセスできない管理
領域を持たない着脱可能な記録媒体１１５を許容する記録再生装置１００の場合（すなわ
ち著作権管理非対応媒体への録画を行う記録再生装置１００の場合）、番組名の先頭ある
いは最後追加されたコピー制御情報を識別し、「著作権管理対応媒体への録画」の場合の
コピー制御情報と、「著作権管理非対応媒体への録画」の場合のコピー制御情報とを表示
する。
【００６６】
図１５は、使用者がリモコンを使用するかあるいは操作部１１０を使用して番組の詳細
情報を表示した時の番組詳細情報画面の一例である。コンテント利用記述子のdigital_recording_control_mode情報、あるいはそれと一対一に対応するコピー制御に関する情報がＳＩ情報に含まれる場合の処理の一例を示す。入力端子１０１に入力されたデジタルデータは受信部１０２で映像・音声データおよびＳＩ情報などに分離化する。受信部１０２で分離したＳＩ情報に基づいて、制御部１１１は番組詳細画面を画面上に表示する。この時、ＳＩ情報に含まれているコンテント利用記述子のdigital_recording_control_mode情報、あるいはそれと一対一に対応するコピー制御に関する情報からコピー制御情報を番組詳細画面に含める。図１５の例では、アイコンとしてコピー制御情報を表示しているが、表示方法は文字列であってもよいし、アイコン以外の画像であってもよい。
【００６７】
なお、使用者がアクセスできない管理領域を持たない着脱可能な記録媒体１１５を許容
する記録再生装置１００の場合（すなわち著作権管理非対応媒体への録画を行う記録再生
装置１００の場合）、図１９に示すように、「著作権管理対応媒体への録画」の場合のコ
ピー制御情報と、「著作権管理非対応媒体への録画」の場合のコピー制御情報とを表示す
る。図１９の例では、アイコンで表示しており、「著作権管理対応媒体への録画」の場合
は、８個までコピー可能であり、「著作権管理非対応媒体への録画」の場合は、コピーで
きないことを表示している。
【００６８】
次にコンテント利用記述子のdigital_recording_control_mode情報、あるいはそれと一対一に対応するコピー制御に関する情報がＳＩ情報に含まれていない場合の番組詳細情報画面を作成する処理の一例を説明する。放送局毎に使用するコピー制御方式が一意に決まる場合、例えば、ある放送局が放送する番組はすべて「一世代のコピー可」で「複数個コピー可能」とする場合、番組詳細情報画面にその放送局で採用するコピー制御情報を表示する。
【００６９】
この際、使用者がアクセスできない管理領域を持たない着脱可能な記録媒体１１５を許
容する記録再生装置１００の場合（すなわち、著作権管理非対応媒体への録画を行う記録
再生装置１００の場合）、「著作権管理対応媒体への録画」の場合のコピー制御情報と、
「著作権管理非対応媒体への録画」の場合のコピー制御情報とを表示する。
【００７０】
また、放送局毎に使用するコピー制御方式が一意に決まらない場合、放送局側にてコピ
ー制御を行う番組の番組名の先頭あるいは最後にコピー制御情報を入れ、番組詳細情報画
面作成時にそのコピー制御情報を含んだ番組名を番組詳細情報画面に入れて表示すること
で、使用者に該番組のコピー制御情報を提示することができる。なお、使用者がアクセス
できない管理領域を持たない着脱可能な記録媒体１１５を許容する記録再生装置１００の
場合（すなわち著作権管理非対応媒体への録画を行う記録再生装置１００の場合）、番組
名の先頭あるいは最後追加されたコピー制御情報を識別し、「著作権管理対応媒体への録
画」の場合のコピー制御情報と、「著作権管理非対応媒体への録画」の場合のコピー制御
情報とを表示する。
【００７１】
図１６は、使用者がリモコンを使用するかあるいは操作部１１０を使用して放送予定の
番組から番組を検索する時の番組検索画面の一例である。１６０１は番組検索における各
種設定を設定する各種設定欄である。本実施例では、各種設定欄にコピー制御情報設定項
目を設け、検索対象にコピー制御情報を入れる設定ができるようにする。図１６のコピー
制御情報設定では、「コピーフリー」「（一世代）複数個コピー可」「コピー制御なし」
をチェックボタンにてチェックすることができ、使用者がチェックした項目で検索を行う
。例えば「（一世代）複数個コピー可」にチェックを入れて検索した場合、検索した結果
は「（一世代）複数個コピー可」の番組のみ表示する。もちろんキーワードによる検索や
ジャンルによる検索を同時に行うこともできる。なお、コピー制御情報設定は複数の設定
が同時に可能であり、またすべてチェックを外すことも可能である。
【００７２】
検索を行う際は、チェックをつけた該当項目について、ＳＩ情報に含まれるコンテント
利用記述子のdigital_recording_control_mode情報、あるいはそれと一対一に対応するコピー制御に関する情報を参照して一致するか検証する。ＳＩ情報にコンテント利用記述子のdigital_recording_control_mode情報、あるいはそれと一対一に対応するコピー制御に関する情報が含まれない場合で放送局毎に使用するコピー制御方式が一意に決まる場合は、該放送局の放送番組はすべて該コピー制御情報の番組として検索を行う。ＳＩ情報にコンテント利用記述子のdigital_recording_control_mode情報、あるいはそれと一対一に対応するコピー制御に関する情報が含まれない場合で放送局毎に使用するコピー制御方式が一意に決まっていない場合は、放送局側が番組名などにコピー制御情報を文字列で入れることで、該文字列が含まれるかを判断することで検索を行う。
【００７３】
図１７は、放送予定の番組から番組を検索した時の番組検索結果表示画面の一例である
。図１６のコピー制御情報設定項目で設定したコピー制御情報について検索した結果を一
覧で表示する。１７０１は検索結果一覧表示欄であるが、該番組に対するコピー制御情報
を含めて表示する。なお、表示方法は文字列により表示してもよいし、アイコンなどの画
像で表示してもよい。また、コピー制御情報はコピー世代情報のみでもよいし、コピー可
能個数情報のみでもよいが、コピー可能個数情報は表示する方が望ましい。
【００７４】
なお、ＳＩ情報にコンテント利用記述子のdigital_recording_control_mode情報、あるいはそれと一対一に対応するコピー制御に関する情報が含まれない場合で放送局毎に使用するコピー制御方式が一意に決まる場合は、その放送局毎のコピー制御方式を表として管理し、ユーザがアクセスできない耐タンパ領域に該表を記憶することで著作権を保護する。
【００７５】
また、上記実施例のコピー制御情報のうちコピー可能個数情報の表示方法として、既に
番組が録画されている場合を考える。記録媒体１０５或いはスロット１１４に挿入されて
いる着脱可能な記録媒体１１５に放送予定の番組と内容が等価な番組が録画されていると
する。ここで内容が等価な番組とは、例えば別々の装置で録画した同じ日時に放送された
番組であるとか、放送された番組と再放送された番組などである。等価な番組であるか否
かは、例えば番組のタイトル、番組番号、チャネル、放送日時、放送地域などを番組の識
別情報として判断する。番組の長さ（時間）や、番組の内容（映像音声データ）の解析結
果なども等価であるか否かの判断要素に加えてもよい。このように内容が等価であること
を、番組の内容が重複しているとも表現する。その検出は、等価であるか否かの判断には
、これらの情報が完全に一致している必要はなく、少なくとも一部（例えばタイトル）が
一致していることで等価（ではないか）と判断するようにすればよい。
【００７６】
放送予定の番組と内容が等価な番組が録画されており、放送予定の番組と録画済の内容
が等価な番組にコピー制御情報が付加されており、どちらもコピー可能個数情報が付加さ
れている場合は、放送予定の番組のコピー可能個数と録画済の内容が等価な番組のコピー
可能個数を合計した個数を番組一覧表などの放送予定番組のコピー可能個数として表示す
る。例えば、録画済の番組のコピー可能個数が６個であり放送予定の番組のコピー可能個
数が８個の場合、番組一覧表などの放送予定番組のコピー可能個数は１４個として表示す
る。また、放送予定の番組にコピー制御情報が付加されていない場合は、録画済の内容が
等価な番組にコピー制御情報が付加されていたとしても、放送予定の番組にコピー情報を
付加して表示はしないが、録画予約する際に、「コピーが制限された番組が録画されてお
ります。置き換えますか？」という旨のメッセージを表示し、ユーザが選択できるように
する。これにより、ユーザは録画済の内容が等価な番組の情報も合わせて知ることができ
、ユーザの利便性を向上することができる。
【符号の説明】
【００７７】
１…送信装置  ２…中継装置  ３…受信装置  １１…ソース発生部  １２…エンコード
部  １３…スクランブル部  14…変調部  15…送信アンテナ  16…管理情報付与部  １０
、１００…記録再生装置  １０１、１０９、２０１、２０２、２０７…入力端子  １０２
…受信部  １０３…画像・音声信号処理部  １０４…記録再生制御部  １０５…記録媒体
１０６…表示部  １０７、２０６、２１０、１２０３、１３０２…出力端子  １０８…
リモコンインタフェース  １１０…操作部  １１１…制御部  １１２…不揮発性メモリ  
１１３…システムバス  ２０３…コピー制御情報処理部  ２０４…暗号部  ２０５…記録
制御部  ２０８…再生制御部  ２０９…復号部  １１４…スロット  １１５…着脱可能な
記録媒体  １１６…スイッチ
【図１】
0005241946.tif 000002
【図２】
0005241946.tif 000003
【図３】
0005241946.tif 000004
【図４】
0005241946.tif 000005
【図５】
0005241946.tif 000006
【図６】
0005241946.tif 000007
【図７】
0005241946.tif 000008
【図８】
0005241946.tif 000009
【図９】
0005241946.tif 000010
【図１０】
0005241946.tif 000011
【図１１】
0005241946.tif 000012
【図１２】
0005241946.tif 000013
【図１３】
0005241946.tif 000014
【図１４】
0005241946.tif 000015
【図１５】
0005241946.tif 000016
【図１６】
0005241946.tif 000017
【図１７】
0005241946.tif 000018
【図１８】
0005241946.tif 000019
【図１９】
0005241946.tif 000020